(57)【要約】【課題】展示物を収納する展示空間を囲む板材の光の透過率、展示空間の下方から展示物を照明する光の色、強度、方向、及び、展示空間の下にある支持部に設けたスピーカからでる音楽を展示物に調和するように変化させて、展示物のイメージアップを図る展示ケースを提供する。【解決手段】本発明に係る展示ケースは、展示物を収納する展示物収納部と、これを支える支持部から構成され、展示物収納部を囲む側面板及び天井板の中、少なくとも１面の平板は、印加電圧に応じて可視光の透過率が変化する透過率可変板であり、  支持部の上面、側面には、それぞれ展示物収納部を下から照明する発光体と音楽を送出するスピーカーが、備えられ、支持部内部には、透過率可変板、発光体、及びスピーカの駆動を制御する制御装置が備えられる。【選択図】図２
2006346310.tif 000002
【特許請求の範囲】
【請求項１】
展示物を収納する展示物収納部と、前記展示物収納部の下部にあり展示物収納部を支える支持部から構成される展示ケースであって、
展示物を囲むように構成された前記展示物収納部の側面板及び天井板のうち少なくとも１面の平板は、印加電圧に応じて可視光の透過率が変化する透過率可変板であり、
前記支持部の透明な平板で形成された上面の下方に、展示物収納部を下方から照明する発光体が備えられ、
前記支持部には音源再生装置が備えられ、
前記支持部の内部には、前記透過率可変板、発光体、及び音源再生装置の駆動を制御する制御装置が格納されることを特徴とする展示ケース。
【請求項２】
前記展示物収納部は六面体の底面が開放された箱型形状で、前記支持部は、上面の形状が前記展示物収納部の底面の開放部と一致する上下方向に長い六面体の形状で、前記展示物収納部と支持部は展示物を出し入れするために離合自在であることを特徴とする請求項１に記載の展示ケース。
【請求項３】
前記透過率可変板は、透明プラスチック板と、プラスチック液晶板を重ねた複合板であることを特徴とする請求項１又は２に記載の展示ケース。
【請求項４】
前記発光体はＬＥＤであることを特徴とする請求項１乃至３のいずれか１項に記載の展示ケース。
【請求項５】
前記制御装置は、
記憶媒体に書き込まれた前記音源再生装置で再生するための音源データに同期させて前記透過率可変板と発光体を動作させる制御データと制御プログラムを取り込む制御データ取り込み手段と、
前記制御データと制御プログラムを保管する記憶手段と、
前記制御データと制御プログラムにより、液晶板制御データ、発光体制御データ、音源再生装置制御データを生成する同期制御手段と、
を備えることを特徴とする請求項１に記載の展示ケース。
【請求項６】
前記制御データを生成する制御データ生成手段は
前記音源再生装置で再生するための音源データを取り込む音源データ取り込み手段と、
前記音源データに同期させて前記透過率可変板と発光体を動作させるデータを書き込み、前記制御データを生成する同期制御編集手段と、
前記制御データと前記制御データに基き、前記液晶板、発光体、及び、音源再生装置を駆動する制御プログラムを前記記憶媒体に書き込む制御データ書き込み手段と、
から構成されることを特徴とする請求項５に記載の展示ケース。
【発明の詳細な説明】
【技術分野】
【０００１】
本発明は展示ケースに関し、詳細には展示物を収納する展示空間を囲む板材の光の透過率と、展示空間の下方から展示物を照明する光の色、照度、方向、及び、展示空間の下方に設けた音源再生装置からでる音楽などの音情報を様々に変化させる展示ケースに関する。
【背景技術】
【０００２】
博物館や美術館で考古学的、歴史学的価値のある物品や美術工芸品を展示したり、店舗や展示会場で商品を展示すために様々な展示ケースが使用される。展示物が商品の場合には、商品のイメージアップを図り、購買意欲をそそる展示戦略が必要であるため、展示ケースの形状、機能に工夫がされている。展示物をどのように照明するかは重要な要素であるが、光源や配線が展示物と同時に展示物を見る人の視界に入らないようにする技術が開示されている。例えば特許文献１には、展示ケースの天井板に光の反射板を設け、展示空間の底部から投射した光を反射板で反射して展示物を照明する技術が開示されている。この技術は展示空間に照明器具や配線が露出しない点で優れているが、天井板に反射板が取付けられているため、上方から展示物を見る場合に視界が遮られる問題がある。また、照明を変化させる技術的思想はない。
【０００３】
特許文献２には、展示空間を囲む透明なパネルの一部を液晶ディスプレイで構成し、展示物の説明をディスプレイに表示する技術が開示されている。しかし、この技術は博物館等において展示物に関する知識を与える効果はあるが、感覚的に商品の購買意欲をそそる効果はない。
【特許文献１】特開平１１−２８５４３１号公報
【特許文献２】特開２０００−１４６号公報
【発明の開示】
【発明が解決しようとする課題】
【０００４】
本発明は上記の問題に鑑みてなされたもので、展示空間の下方から展示物を照明する光の色、照度、方向を変化させると共に、展示物を収納する展示空間を囲む板材の光の透過率、及び、展示空間の下にある支持部に設けた音源再生装置から出る音を展示物に調和するように変化させて、展示物のイメージアップを図る展示ケースを提供することにある。
【課題を解決するための手段】
【０００５】
本発明に係る展示ケースは、展示物を収納する展示物収納部と、展示物収納部の下部にあり展示物収納部を支える支持部から構成され、展示物を囲むように構成された展示物収納部の側面板及び天井板のうち少なくとも１面の平板は、印加電圧に応じて可視光の透過率が変化する透過率可変板であり、支持部の透明な平板で形成された上面の下方に、展示物収納部を下方から照明する発光体が備えられ、支持部には音源再生装置が備えられ、支持部の内部には、前記透過率可変板、発光体、及び音源再生装置の駆動を制御する制御装置が格納されることを特徴とする。
【０００６】
また、展示物収納部は六面体の底面が開放された箱型形状で、支持部は、上面の形状が展示物収納部の底面の開放部と一致する上下方向に長い六面体の形状で、展示物収納部と支持部は展示物を出し入れするために離合自在である。
また、透過率可変板は、透明プラスチック板と、プラスチック液晶板を重ねた複合板である。
また、発光体はＬＥＤ（Ｌｉｇｈｔ  Ｅｍｉｔｔｉｎｇ  Ｄｉｏｄｅ）である。
【０００７】
制御装置は、記憶媒体に書き込まれた音源再生装置で再生するための音源データに同期させて、透過率可変板と発光体を動作させる制御データと制御プログラムを取り込む制御データ取り込み手段と、制御データと制御プログラムを保管する記憶手段と、制御データと制御プログラムにより、液晶板制御データ、発光体制御データ、音源再生装置制御データを生成する同期制御手段と、を備えることを特徴とする。
【０００８】
制御データを生成する制御データ生成手段は、音源再生装置で再生するための音源データを取り込む音源データ取り込み手段と、音源データに同期させて前記透過率可変板と発光体を動作させるデータを書き込み、制御データを生成する同期制御編集手段と、制御データとこの制御データに基き、液晶板、発光体、及び、音源再生装置を駆動する制御プログラムを記憶媒体に書き込む制御データ書き込み手段と、から構成されることを特徴とする。
【発明を実施するための最良の形態】
【０００９】
以下、本発明の実施の形態について図を参照して説明する。
図１は本発明に係る展示ケースの斜視図である。図１に示すように、展示ケース１は展示物を収容する展示空間を形成する展示物収納部２と、展示物収納部２を支える支持部３から構成される。展示物（図示せず）を展示物収納部２に出し入れするために、展示物収納部２と支持部３は分離可能となっている。
【００１０】
図２は展示ケース１の展示物収納部２と支持部３を分離した状態を示す斜視図、図３は展示物収納部２を分解した斜視図である。
図２、図３に示すように、展示物収納部２は、枠体４と、透明な板材の上面板５及び３枚の側面板（前面板６、左側面板７、右側面板８）で構成され、全体として底部９が開放された箱型である。枠体４は背面板１０と、底部９をコ字型に囲む帯状に形成された底部枠部１１と、背面板１０をコ字型に囲む帯状に形成された背面枠部１２から構成される。
透明な板材は、透明プラスチック板、例えばアクリル製の板を使用しているが、他の材質のプラスチック板、或いはガラス板でもよい。
【００１１】
透明な板材（上面板５、前面板６、左側面板７、及び、右側面板８）の、展示物収納部２の内側になる面には、印加電圧を制御することによって可視光線の透過率が制御できる液晶板を重ねて、複合板として透過率可変板を形成している。上面板５、前面板６は、それぞれ前後方向、上下方向に３分割して個別に制御できる３枚づつの液晶板を重ねている。一方、左側面板７及び右側面板８にはそれぞれ１枚の液晶板が重ねてある。勿論、１枚の板材をどのように分割して透過率を制御するか、或いは、分割しないか、は設計者がどのような効果を求めるかによって、様々に変わるので、ここに示したのは一例に過ぎない。
液晶板はガラス板、プラスチック板等の一面に透明電極を形成し、透明電極形成面を向いあわせて、その間に液晶を挟んだもので、本実施例では屈曲性があるプラスチックシートに液晶を挟んだプラスチック液晶板、例えば、日本板ガラス製ＵＭＵシート（商品名）を使用している。
【００１２】
図４は液晶板１３を透明な板材１４に重ねる方法を示す。透明板の両端に溝１５を形成した液晶取り付け部１６を設け、液晶板１３を溝１５に挿入する。図４では、透明な板材１４と液晶取り付け部１６を一体成型しているが、液晶取り付け部１６を棒状に作製し、透明な板材１４に張付けてもよい。
【００１３】
図５は、展示物収納部２を斜め後ろ下方から見た斜視図である。
液晶板１３が日本板ガラス製ＵＭＵシート（商品名）の場合には、液晶に電圧を印加する透明電極に接続された端子１７が液晶板１３の一辺に備えられており、各液晶板の端子からの配線１８は、枠体４に沿って背面板１０に取り付けられたコネクター１９に集積される。枠体４は、液晶板１３の配線１８やコネクター１９を展示物収納部２の外部から見えなくするために、不透明な板で形成されることが好ましい。
【００１４】
図２に示すように、支持部３の上面には展示物収納部を照明する発光体２０が備えられる。発光体は白熱灯その他どのようなものでも使用できるが、温度が上がらず、指向性があり、光の色、照度、方向等の制御が容易で、幅広い照明効果が得られるという点でＬＥＤ（Ｌｉｇｈｔ  Ｅｍｉｔｔｉｎｎｇ  Ｄｉｏｄｅ：発光ダイオード）が好ましい。図２では、３色のＬＥＤが組み合わされてユニットとなっている市販のＬＥＤユニットを５個備えているが、どのような照明効果を狙うかにより、様々な配置があり得る。また、ＬＥＤ以外の発光体を組み合わせてもよい。
発光体の電源は支持体３の内部にあり後述する制御装置により制御される。
【００１５】
発光体２０は、不透明な板で形成された四角の枠状の発光体格納枠２１と、発光体格納枠に保持され、透明な板で形成された発光体格納上板２２で構成された発光体収納部２３に収納される。発光体格納枠２２の後側には、枠体４に取り付けたコネクター１９の対応する位置にコネクター２４が設置され、展示物収納部２が支持部３上に置かれると、コネクター１９と２４は接続される。なお、コネクタ−２４からの配線（図示せず）は、後述する制御装置に接続される。
支持部３の後部には背面被覆板２５が直立して設けられる。
【００１６】
展示物は発光体格納部２３上に展示されるか、或いは展示台（図示せず）を載せてその上に展示される。展示物を発光体格納部２０或いは展示台に載せた後、展示物収納部２を支持部３に載せる。
不透明な材料で形成された発光体格納枠２１により、枠体４の底部枠部１１の内面に沿って設けられた液晶板１３の配線１８が隠蔽される。即ち、発光体格納枠２１は所定の間隙（配線１８が収納できる間隙）を有して、底部枠１１の内側に配置されるように設置され、配線１８は底部枠部１１と発光体格納枠２０の間隙に収納されことになる。従って、発光体格納枠２１と枠体４の底部枠部１１の上面は略同一の高さとなることが好ましい。
また、支持体３の背面被覆板２５は背面板１０の裏面に設けられた液晶板１３の配線１８と、コネクター１９，２４を覆い、保護する。
なお、前述したように、枠体４に取り付けられたコネクター１９と発光体格納部２１に取り付けられたコネクター２４が接続される。
【００１７】
支持部３の左右側面には音源再生装置としてスピーカー２６が設けられており、音楽を含む様々な音情報をステレオで再生する。展示の状況によってはスピーカーを用いることが不適切な場合もあり、その様な場合は、音源再生装置はヘッドホンでもよい。
支持部３の内部にはスピーカー２６で再生する音情報、液晶板１３に印加する電圧、及び、発光体２０（ＬＥＤ）に印加する電圧を制御する制御装置（図示せず）が備えられる。また、制御装置の制御プログラム及び制御データを記憶する記憶媒体としてメモリカードを使用する場合には、メモリカードリーダー（図示せず）が備えられ、カード投入口２７が支持部３に前面に設けられる。
支持部３の内部の装置類が外部から見えないように、支持部３の側面は全て不透明材で形成されることが好ましい。
なお、上記実施例では、液晶板１３の配線部１８隠蔽するために、展示物収納部２を不透明な材質の枠体４を用いて構成しているが、液晶板１３の端子位置や、発光体２０の設置位置によっては、枠体４を用いないで、側面板（背面板１０を含む）及び上面板のみで構成してもよい。
【００１８】
次に液晶板、発光体、音源再生装置の制御方法を説明する。本実施例では、展示物に適合する音楽に同期して発光体の点滅、照度、方向と、液晶板の透過率を制御する制御データを、制御装置に取り込み、これに基き液晶板、発光体、音源再生装置（スピーカー）が同期駆動される。
【００１９】
図６は制御装置の基本構成図である。
図６に示すように、展示物に適合する音楽に同期して液晶板の透過率と発光体の点滅、照度、方向を制御する制御データと、この制御データに基き、液晶板、発光体、音源再生装置を制御する制御プログラムを取り込む制御データ取り込み手段３１と、取り込んだ制御データと制御プログラムを保管する記憶手段３２と、制御データと制御プログラムにより液晶板ドライバー３４を制御する液晶板制御データ、発光体ドライバー３５を制御する発光体制御データ、及び、音源再生装置を駆動する増幅器３６を制御する音源再生装置制御データを生成する同期制御手段３３と、から構成される。
音源再生装置制御データが圧縮データの場合には更にデコーダを設ける。
【００２０】
液晶板ドライバー３４、発光体ドライバー３５、及び、増幅器３６は、展示ケース１に備えられた液晶板１３、発光体２０、音源再生装置２６にそれぞれ適合するように指定されたものであり、また、同期制御手段３３で生成される液晶板制御データ、発光体制御データ、及び、音源再生装置制御は液晶板ドライバー３４、発光体ドライバー３５、及び、増幅器３６に適合するものである。
【００２１】
図７は制御データを生成する制御データ生成手段の構成を示す構成図である。
図７に示すように制御データ生成手段３７は、展示物のイメージアップに適した音楽を取り込む音源データ取り込み手段３８と、取り込んだ音楽のタイムラインに同期させて液晶板１３の透過率、発光体２０をどのように動作させるかを入力して制御データを生成する同期制御編集手段３９と、制御データに基き、液晶板１３、発光体２０、音源再生装置２６を駆動する制御プログラムを記憶媒体に書き込む制御データ書き込み手段４０と、から構成される。
音源データ取り込み手段３８で取り込む音源（音情報）は音楽に限らず、風、水等の自然の音、人工的な合成音、動物の声等でもよい。
【００２２】
制御装置はパーソナルコンピュータ（ＰＣ）を使用することができる。その場合、制御データ生成手段３７も制御装置に含まれることになり、全ての制御がＰＣのキーボードから指示される。しかし、各展示ケースに個別にＰＣを備えるのは、展示ケースの製造原価の上昇を招くので好ましくない。
そこで、制御装置の制御データ取り込み手段３１として、制御データを記憶した記録媒体のデータ読取装置を備えるのが好ましい。本実施例では、メモリカードリーダを備える。その場合、制御データ生成手段３７の制御データ書き込み手段４０はメモリカードライターである。
展示ケースとは別に備えられたＰＣにメモリーカードライターを接続して、メモリカードに制御データを書き込む。制御データを書き込んだメモリカードを、制御装置のメモリカードリーダに挿入して制御データを取り込む。
本実施例では、制御装置の制御データ取り込み手段３１で、制御データと制御プログラムを読み込む構成となっているが、制御プログラムは予め記憶手段３２に保管しておく構成でもよい。
また、上記の実施例では、単純に音楽に同期して、液晶板と発光体が駆動される制御を示したが、様々な複雑な制御も可能であることはいうまでもない。
【００２３】
また、展示ケースに人感センサーを備えて、人感センサーが作動した時のみに、音楽、液晶板と発光体が駆動されるようにすることも可能である。その場合は、制御装置はスタンバイモードで待機しており、オートスタートモードが設定される。
【００２４】
上記、実施例に於ける展示ケースの形態は、用いる透明板、液晶板の材質や電極の取り出し位置、或いは発光体の設置位置、制御方法等により、本発明の技術的思想の範囲内で様々に設計変更可能であることはいうまでも無い。
図８、図９は、展示ケースの別の形態を示す斜視図である。液晶板にプラスチックシート製のものを用いることにより曲面のある形状や、背面に不透明板を用いない形状が可能になる。
【図面の簡単な説明】
【００２５】
【図１】本発明に係る展示ケースの斜視図である。
【図２】本発明に係る展示ケースを展示物収納部と支持部を分離した状態を示す斜視図である。
【図３】展示物収納部を分解した斜視図である。
【図４】液晶板を透明な板材１４に重ねる方法を示す説明図である。
【図５】展示物収納部を斜め後ろ下方から見た斜視図である。
【図６】制御装置の構成図である。
【図７】制御データ生成手段の構成図である。
【図８】展示ケースの別の形態を示す斜視図である。
【図９】展示ケースの別の形態を示す斜視図である。
【符号の説明】
【００２６】
１    展示ケース
２    展示物収納部
３    支持部
４    枠体
１３  液晶板
２０  発光体
２６  音源再生装置
【図１】
2006346310.tif 000003
【図２】
2006346310.tif 000004
【図３】
2006346310.tif 000005
【図４】
2006346310.tif 000006
【図５】
2006346310.tif 000007
【図６】
2006346310.tif 000008
【図７】
2006346310.tif 000009
【図８】
2006346310.tif 000010
【図９】
2006346310.tif 000011